(57)【要約】【課題】  従来、オブラートで薬を包む時は、健常者でも包み難い。したがって、病人やおとしよりは、一層包み難く、こぼすことが多かった。【解決手段】  オブラートを逆テーパ孔に密着させ、円筒状に形成したじようごの挿し込みから、薬を入れるようにして解決した。  これにより、健常者、病人、おとしよりから子供までのすべての人が、薬をこぼさず、極簡単に包むことができる。【選択図】図４
2019051287.tif 000002
【特許請求の範囲】
【請求項１】
ラッパ口がオブラートよりやや小径で、挿し込みをやや大径の円筒にしたじようごを形成し、また、内径がオブラートより大径で、浅めの中底付きのじようご入れを形成し、該中底はじようごの首より、やや低めに形成し、且、中底の中心には、上部がじようごの挿し込みよりやや大径で、入口をＲ加工し、下部になるにつれて径を大きくした逆テーパ孔を形成し、而して、じようごの挿し込みを逆テーパ孔に挿し込んだ状態で、じようごに被さる蓋を形成し、じようごを使用しない時は、挿し込みを逆テーパ孔に挿し込んで蓋を被せるようにしたことを特徴とする薬をこぼさずに包みやすくしたオブラート用じようご。
【発明の詳細な説明】
【技術分野】
【０００１】  本発明は、薬をこぼさずに包みやすくしたオブラー用じようごに関する。
【背景技術】
【０００２】  従来、オブラートで薬を包む時、介助する健常者でも包み難い。したがって、病人やおとしよりは一層包み難く、薬をこぼすことが多かった。
【発明の概要】
【発明が解決しようとする課題】
【０００３】  病人、おとしよりや子供でも、薬をこぼさず、且、簡単に包めるようにすることを目的とする。
【課題を解決するための手段】
【０００４】  ラッパ口がオブラートよりやや小径で、挿し込みをやや大径の円筒にしたじようごを形成し、また、内径がオブラートよりやや大径で、浅めの中底付きのじようご入れを形成し、該中底はじようごの首より、やや低めに形成し、且、中底の中心には、上部がじようごの挿し込みよりやや大径で入口を、Ｒ加工し、下部になるにつれて径を大きくした逆テーパ孔を形成し、而して、じようごの挿し込みを逆テーパ孔に挿し込んだ状態で、じようごに被さる蓋を形成し、じようごを使用しない時は、挿し込みを逆テーパ孔に挿し込んで、蓋を被せるようにしたものである。
【発明の効果】
【０００５】  本発明は上記のように構成したので、薬を包む時は、先ず、オブラートを中底上に置き、逆テーパ孔にじようごを挿し込めば、オブラートは逆テーパ孔の底まで挿し込まれ、挿し込まれたオブラートは原形（挿し込まれる前の平面状態）に復しようとする。
その、原形復帰力が逆テーパ孔の内周に密着すると共に、オブラートの上部は花びら状になる。
したがって、じようごに薬を入れた後、じようごを抜けば、じようごの挿し込みから流下した薬は、オブラートの底に安定して収まるので、花びらを持ち上げて、まるめれば、健常者、病人、おとしより、子供までのすべて人が、薬をこぼさず、極簡単に包むことができる。【０００６】  なお、この時、薬は流動性があるので、逆テーパー孔からオブラートを抜くとき、オブラートは破れず、難なく引き上げることができる。【０００７】  また、逆テーパ孔の上部は、じようごの挿し込みよりやや大径に形成し、挿し込み口をＲ加工したので、薬を入れる時、オブラートを逆テーパ孔に無理なく挿し込むことができる。
更に、じようごの挿し込みは円筒で、且、やや大径に形成し、オブラートを而接触状態で挿し込むので、オブラートは傷まないと共に薬が円筒内を流下しやすい効果がある。【０００８】  薬を包んだ後は、じようごを逆テーパ孔に挿し込み、蓋を被せれば、じようごや逆テーパ孔は完全密閉されるのできわめて衛生的である。【０００９】  特に、本発明は、薬入れの専用器具で、半永久的に使用できるので、家庭に、１箇常備しておけば、誰もが、薬を簡単に包むことができ、きわめて便利である。
【図面の簡単な説明】
【００１０】
【図１】  市販のオブラート
【図２】  本発明の縦断面図
【図３】  オブラートを逆テーパ孔に挿し込んで、薬を入れた状態図
【図４】  薬を入れた後、じようごを抜く時の状態図
【図５】  じようごを抜いた状態図  じようごを抜いた後、花びら持ち上げ、該花びらを丸めて飲む。
【課題を実施するための形態】
【００１１】  図中１はじようごで、ラッパ口２がオブラート４よりやや小径で、挿し込み３がやや大径の円筒に形成している。
また、内径がオブラート４よりやや大径で、浅めの中底６付きのじようご入れ５を形成し、該中底６はじようご１の首７より、やや低めに形成し、且、中底６の中心には、じようご１の挿し込み３よりやや大径で、入口をＲ加工し、下部になるにつれて径を大きくした逆テーパ孔８を形成している。
なお、じようご１の挿し込み３の長さと逆テーパ孔８の深さは、オブラート４を逆テーパ孔８に挿し込んだ時、オブラート４が、逆テーパ孔８から約１０ｍｍ出るように形成する。
また、じようご１の挿し込み３を逆テーパ孔８に挿し込んだ状態で、じようご１が被さる蓋１０を形成し、じようご１を使用しない時は、挿し込み３を逆テーパ孔８に挿し込んで、蓋９を被せるようにしている。
【符号の説明】
【００１２】  １  じようご
２  ラッパ口
３  挿し込み
４  オブラート
５  じようご入れ
６  中底
７  首
８  逆テーパ孔
９  花びら
１０  蓋
【図１】
2019051287.tif 000003
【図２】
2019051287.tif 000004
【図３】
2019051287.tif 000005
【図４】
2019051287.tif 000006
【図５】
2019051287.tif 000007
【手続補正書】
【提出日】平成29年12月26日(2017.12.26)
【手続補正１】
【補正対象書類名】明細書
【補正対象項目名】０００７
【補正方法】変更
【補正の内容】
【０００７】  また、逆テーパ孔の上部は、じようごの挿し込みよりやや大径に形成し、挿し込み口をＲ加工したので、薬を入れる時、オブラートを逆テーパ孔に無理なく挿し込むことができる。
更に、じようごの挿し込みは円筒で、旦、大径に形成し、オブラートを面接触状態で挿し込むので、オブラートは傷まないと共に、薬が円筒内を流下しやすい効果がある。
【手続補正書】
【提出日】平成30年5月22日(2018.5.22)
【手続補正１】
【補正対象書類名】特許請求の範囲
【補正対象項目名】請求項１
【補正方法】変更
【補正の内容】
【請求項１】
2019051287.tif 000008
にしたじようごを形成し、また、内径がオブラートより大径で、浅めの中底付きのじようご入れを形成し、該中底はじようごの首より、やや低めに形成し、且、中底の中心には、上部がじようごの挿し込みよりやや大径で、入口をＲ加工し、下部になるにつれて径を大きくした逆テーパ孔を形成し、而して、じようごの挿し込みを逆テーパ孔に挿し込んだ状態で、じようごに被さる蓋を形成し、じようごを使用しない時は、挿し込みを逆テーパ孔に挿し込んで蓋を被せるようにしたことを特徴とする薬をこぼさずに包みやすくしたオブラート用じようご。
【手続補正書】
【提出日】平成30年7月18日(2018.7.18)
【手続補正１】
【補正対象書類名】特許請求の範囲
【補正対象項目名】請求項１
【補正方法】変更
【補正の内容】
【請求項１】
ラッパ口がオブラートよりやや小径で、挿し込みを円筒にしたじょうごを形成し、また、内径がオブラートより大径で、浅めの中底付きのじょうご入れを形成し、該中底はじょうごの首より、やや低めに形成し、且、中底の中心には、上部がじょうごの挿し込みよりやや大径で、入口をＲ加工し、下部になるにつれて径を大きくした逆テーパ孔を形成し、而して、じょうごの挿し込みを逆テーパ孔に挿し込んだ状態で、じょうごに被さる蓋を形成し、じょうごを使用しない時は、挿し込みを逆テーパ孔に挿し込んで蓋を被せるようにしたことを特徴とする薬をこぼさずに包みやすくしたオブラート用じょうご。